(57)【要約】【課題】化粧筆と化粧筆を収納する収納室とを具備した化粧品用容器において、化粧筆の取り出しが容易且つ確実に行えるようにする。【解決手段】棒状の把持部１２の先端に塗布具１３，１４を有する化粧筆７と、この化粧筆７を収納する収納室８とを具備した化粧品用容器において、収納室８の側壁面９ａと塗布具１３との当接を阻害する突起１５が収納室８の内部に突設されており、この突起１５には、この突起１５に向けて化粧筆７を移動させたときに、この化粧筆７を収納室８から脱出させる上方向に案内するガイド部１６が形成されている。【選択図】図１
2011024772.tif 000002
【特許請求の範囲】
【請求項１】
棒状の把持部の先端に塗布具を有する化粧筆と、この化粧筆を収納する収納室とを具備した化粧品用容器において、
前記収納室は、前記化粧筆を囲繞する周壁と上方向に開放された開口部とを備えており、
この収納室の内部に前記化粧筆を収納した状態において、前記周壁のうち前記把持部の軸心方向に直交する方向に対面する側壁面と前記把持部との間には、前記側壁面と前記塗布具との当接を阻害する突起が、前記収納室の内部又は前記把持部の胴部外周の少なくとも何れか一方に突設されており、
この突起には、前記化粧筆を前記側壁面に向けて移動させたときに、前記化粧筆を前記収納室の開口部から脱出させる上方向に案内するガイド部が形成されていることを特徴とする化粧品用容器。
【請求項２】
棒状の把持部の先端に塗布具を有する化粧筆と、この化粧筆を収納する収納室とを具備した化粧品用容器において、
前記収納室は、前記化粧筆を囲繞する周壁と上方に向けて開放された開口部とを備えており、
この収納室の内部に前記化粧筆を収納した状態において、前記周壁のうち前記把持部の軸心方向に直交する方向に対面する側壁面と前記塗布具との当接を阻害する突起が前記収納室の内部に突設されており、
この突起には、この突起に向けて前記化粧筆を移動させたときに、この化粧筆を前記収納室の開口部から脱出させる上方向に案内するガイド部が形成されていることを特徴とする化粧品用容器。
【請求項３】
前記収納室の内部に突設された突起のガイド部は、上凸の湾曲形状又は上凸の屈曲形状とされていることを特徴とする請求項１又は請求項２に記載の化粧品用容器。
【請求項４】
前記収納室の内部に突設された突起には、この突起と前記把持部との間に隙間を形成する窪みが形成されていることを特徴とする請求項１乃至請求項３のいずれか１項に記載の化粧品用容器。
【請求項５】
前記収納室の内部には、複数の化粧筆を並行に収納しており、前記収納室の内部に突設された突起は、各化粧筆の間に配置されていることを特徴とする請求項１乃至請求項４のいずれか１項に記載の化粧品用容器。
【請求項６】
棒状の把持部の先端に塗布具を有する化粧筆と、この化粧筆を収納する収納室とを具備した化粧品用容器において、
前記収納室は、前記化粧筆を囲繞する周壁と上方に向けて開放された開口部とを備えており、
この収納室の内部に前記化粧筆を収納した状態において、前記周壁のうち前記把持部の軸心方向に直交する方向に対面する側壁面と前記塗布具との当接を阻害する突起が前記把持部）の胴部外周に突設されており、
この突起には、前記側壁面に向けて前記化粧筆を移動させたときに、この化粧筆を前記収納室の開口部から脱出させる上方向に案内するガイド部が形成されていることを特徴とする化粧品用容器。
【請求項７】
前記把持部の胴部外周に突設された突起は、前記化粧筆を把持部の領域と塗布具の領域とに仕切るフランジ状に形成されており、把持部の軸心方向から見た形状が楕円形又は菱形とされていて、この楕円形又は菱形の外周部分で前記ガイド部が構成されていることを特徴とする請求項１又は請求項６に記載の化粧品用容器。
【発明の詳細な説明】
【技術分野】
【０００１】
本発明は、化粧筆と化粧筆を収納する収納室とを具備した化粧品用容器に関するものである。
【背景技術】
【０００２】
アイシャドー等の化粧品用の容器は、通常、化粧筆と化粧筆を収納する収納室が設けられている。かかる化粧品用容器は、携帯し易いように小型であることが望ましく、それ故に化粧筆を収納する収納室も一般に化粧筆が収納できる最小限の広さとされ、余分なスペースが無いものとなっており、化粧筆が取り出し難いという欠点がある。
図１５は、従来の一般的な化粧品用容器５１における化粧筆５２の取り出し状況を示しており、化粧筆５２は、収納室５３の周壁５４に押しつけられて上方の開口部５５から取り出される。しかし、化粧筆５２の塗布具５６がスポンジのような比較的摩擦係数の大きなものである場合には、周壁５４との摩擦抵抗も大きく、収納室５３が狭小であることと相俟って、一層、化粧筆５２の取り出しを困難にしていた。
【０００３】
そこで、化粧筆を収納する収納室内に弾性片を設けて化粧筆を弾発的に昇降可能とする化粧品用容器が提案されている（例えば、特許文献１等参照）。
【先行技術文献】
【特許文献】
【０００４】
【特許文献１】実公昭５２−２５３５５号公報
【発明の概要】
【発明が解決しようとする課題】
【０００５】
特許文献１のコンパクトは、蓋体を開くと弾性片の弾発力で化粧筆が凹部（収納室）から上昇するので、化粧筆を掴み出し易い。しかし、蓋体を開く動作で化粧筆を取り落としてしまうといった問題が生じる可能性がある上に、弾性片を別途組み付ける必要があり、部品点数や組立工数の増加によるコストアップが問題となる。勿論、弾性片をコンパクトの容器本体と一体的に制作することも考えられるが、弾性片が容器本体の材質との関係で十分な弾発力を得られなかったり、破損し易い等といった問題が生じる。
【０００６】
そこで、本発明は、化粧筆と化粧筆を収納する収納室とを具備した化粧品用容器において、コストアップや化粧筆の取り出しの際の取り落としといった如上の問題がなく、化粧筆の取り出しが容易且つ確実に行えるようにすることを目的とする。
【課題を解決するための手段】
【０００７】
本発明は、前記目的を達成するために、次の技術的手段を講じた。
即ち、棒状の把持部の先端に塗布具を有する化粧筆と、この化粧筆を収納する収納室とを具備した化粧品用容器において、
前記収納室は、前記化粧筆を囲繞する周壁と上方向に開放された開口部とを備えており、
この収納室の内部に前記化粧筆を収納した状態において、前記周壁のうち前記把持部の軸心方向に直交する方向に対面する側壁面と前記把持部との間には、前記側壁面と前記塗布具との当接を阻害する突起が、前記収納室の内部又は前記把持部の胴部外周の少なくとも何れか一方に突設されており、
この突起には、前記化粧筆を前記側壁面に向けて移動させたときに、前記化粧筆を前記収納室の開口部から脱出させる上方向に案内するガイド部が形成されているものとした。
【０００８】
このような構成であると、収納室から化粧筆を取り出す際に、化粧筆を把持部の軸心方向に直交する方向に移動させても、突起の存在により塗布具が側壁面に圧接されることがないので、たとえ塗布具が摩擦係数の大きな材質で形成されていても化粧筆の取り出しの抵抗とはならない。しかも、突起には、化粧筆を収納室の開口部から脱出させる上方向に案内するガイド部が形成されているので、スムーズに化粧筆を取り出すことができる。
【０００９】
なお、突起は、収納室と把持部の何れか一方に設けてもよく、また両方に設けることもできる。ここで「突起」を特定する「側壁面と前記塗布具との当接を阻害する」とは、塗布具が側壁面に当接するのを邪魔すれば足り、当接するのを完全に阻止する場合の他、接触する程度の当接は許容しつつも塗布具が側壁面に対して圧接されるのを妨害することを意味するものである。
【００１０】
前記収納室の内部に突設される場合の突起のガイド部は、上凸の湾曲形状又は上凸の屈曲形状とすることができる。
このように、上凸の湾曲形状又は上凸の屈曲形状（山型に折り曲がった傾斜状）とすれば、化粧筆の把持部をより取り出し方向に円滑に案内できる。なお、ガイド部はこれらの形状に限定されず、上凸に山型に曲がっていない単一の傾斜面や、上凸に山型に曲がっていない単一の傾斜面を有する複数の突起の組み合わせ等としてもよい。
【００１１】
また、前記収納室の内部に突設された突起には、この突起と前記把持部との間に隙間を形成する窪みを設けることができる。
このようにすると、収納室から化粧筆を取り出している最中に指先が突起に接触しなくなるか又は接触し難くなるので、操作が一層容易となる。
更に、前記収納室の内部には、複数の化粧筆を並行に収納し、前記収納室の内部に突設された突起は、各化粧筆の間に配置されたものとすることができる。
【００１２】
一方、前記把持部の胴部外周に突設される場合の突起は、前記化粧筆を把持部の領域と塗布具の領域とに仕切るフランジ状に形成されており、把持部の軸心方向から見た形状が楕円形又は菱形とされていて、この楕円形又は菱形の外周部分で前記ガイド部が構成される。
このような構成であると、突起を収納室の内部に突設した場合と同様に、収納室から化粧筆を取り出す際に、化粧筆を把持部の軸心方向に直交する方向に移動させても、突起の存在により塗布具が側壁面に圧接されることがないので、たとえ塗布具が摩擦係数の大きな材質で形成されていても化粧筆の取り出しの抵抗とはならず、ガイド部の存在により、スムーズに化粧筆を取り出すことができる。
【００１３】
また、把持部の胴部外周に突起を突設すると、収納室の内部には必ずしも突設が必要でなく、また、突起により把持部と塗布具が仕切られているので、塗布具に付着した化粧品で手指を汚すこともない。
【発明の効果】
【００１４】
本発明によれば、化粧筆と化粧筆を収納する収納室とを具備した化粧品用容器において、化粧筆を収納状態から取り出すのが極めて容易且つ確実に行えるようになる。
【図面の簡単な説明】
【００１５】
【図１】本発明に係る化粧品用容器の第１実施形態を示した斜視図である。
【図２】第１実施形態の化粧品用容器の主要部を示した平面図である。
【図３】図１のＡ−Ａ断面図である。
【図４】図１のＡ−Ａ断面図に相当させて化粧筆の取り出し状況を説明した図である。
【図５】本発明に係る第２実施形態の化粧品用容器の主要部を示した平面図である。
【図６】本発明に係る第３実施形態の化粧品用容器の主要部を示した平面図である。
【図７】本発明に係る化粧品用容器の第４実施形態を示した斜視図である。
【図８】本発明に係る第４実施形態の化粧品用容器の主要部を示した平面図である。
【図９】図１のＡ−Ａ断面図に相当させて本発明に係る第５実施形態の化粧品用容器を説明した図面である。
【図１０】本発明に係る第６実施形態の化粧品用容器の主要部を示した斜視断面図である。
【図１１】本発明に係る化粧品用容器の第７実施形態を示した斜視図である。
【図１２】本発明に係る第７実施形態の化粧品用容器の主要部を示した平面図である。
【図１３】図１１のＢ−Ｂ断面図に相当させて化粧筆の取り出し状況を説明した図である。
【図１４】本発明に係る第８実施形態の化粧品用容器を示す図面であって、図１１のＢ−Ｂ断面図に相当させて化粧筆の取り出し状況を説明した図である。
【図１５】従来の一般的な化粧品用容器における化粧筆の取り出し状況を説明した図である。
【発明を実施するための形態】
【００１６】
以下、本発明の実施の形態を、図面に基づき説明する。
図１乃至図４は、本発明に係る化粧品用容器１の第１実施形態を示している。本第１実施形態の化粧品用容器１は、正方形乃至長方形状の皿形をした容器本体２と、この容器本体２を開閉する略同形の蓋体３とが、ヒンジ部４を介して互いに揺動自体に連結されたものを示している。
【００１７】
容器本体２には、複数種の化粧品の内容物５を区画して収容可能にした化粧品収容部６と、化粧筆７を収納する収納室８とが互いに隣接して設けられており、ヒンジ部４を支点として蓋体３を揺動させれば、容器本体２の化粧品収容部６及び収納室８を開閉させることができる。なお、収納室８は、化粧筆７を収納した状態において、化粧筆７を囲繞する周壁９と、内部底面１０と、化粧筆７を出し入れする為に上方に開放された開口部１１とを備えている。
【００１８】
一方、化粧筆７は、棒状の把持部１２を中央において、その先端両側に塗布具１３，１４を有するものであって、一端側の塗布具１３が把持部１２よりも太くて丸いタイプのスポンジ材からなるハケとされ、他端側の塗布具１４が把持部１２よりも細身のタイプのスポンジ材からなるハケとされたものとしてある。把持部１２は断面形状が扁平な楕円形に形成されたものとしてある。
【００１９】
本第１実施形態では、化粧筆７を取り出し易くするための突起１５が収納室８の内部に突設されている。即ち、突起１５は、収納室８の内部に化粧筆７を収納した状態において、周壁９のうち、把持部１２の軸心方向に直交する方向に対面する側壁面９ａ（本第１実施形態では収納室８において化粧品収容部６から遠い方の側壁面であって、化粧筆７の取り出しを予定した方向の側壁面、以下では「取出側壁面」とも言う）と、内部底面１０とによって形成される隅角部（立ち上がり隅部）に配置されたものとしてある。
【００２０】
また、突起１５は、取出側壁面９ａの長手方向（把持部１２の軸心方向に同じ）の全長にわたって設けられたものではなく、周壁９のうち把持部１２の軸心方向に対面する側壁面９ｂ，９ｃには届かない状態で略中央部に配置されており、突起１５の長手方向中央部が取出側壁面９ａと対面する側の壁面９ｄ方向へ最も膨出する曲面を描いた形状となっている。つまり、本第１実施形態の突起１５の外観形状は、概ねラグビーボールを長軸方向に１／４にしたような形状を呈している。これにより、収納室８に化粧筆７を収納したとき、原則として化粧筆７における両側の塗布具１３，１４が突起１５に接触しない（取出側壁面９ａと塗布具１３，１４との当接を阻害する）ようにしてある。
【００２１】
その上でこの突起１５は、化粧筆７を、その把持部１２の軸心方向に直交する方向であって取出側壁面９ａに近接する方向へ向け、且つ、収納室８の内部底面１０に沿って移動（横移動）させたときには、確実に化粧筆７の把持部１２と当接するように設定されている。
なお、ここにおいて「内部底面１０に沿って移動（横移動）」とは、化粧品用容器１を水平にして使用すると仮定すれば、水平移動に相当する。
【００２２】
また、「収納室８に化粧筆７を収納したとき、原則として化粧筆７における両側の塗布具１３，１４が突起１５に接触しない（取出側壁面９ａと塗布具１３，１４との当接を阻害する）」とは、収納室８に対して化粧筆７を収納させたとき、塗布具１３，１４が突起１５乃至取出側壁面９ａと全く接触しないことに限定されるものではなく、軽度の接触程度は許容される。また、化粧筆７を収納室８へ収納した段階（移動前の状態）で、その把持部１２が突起１５と接触するか否かについても何ら限定されるものではなく、軽度の接触程度は許容されるし、勿論、接触しないものとしてもよい。
【００２３】
突起１５は、その外面がガイド部１６として構成されたものである。このガイド部１６は、図３及び図４に示すように、上凸の湾曲形状とされており、内部底面１０側の第１ガイド部１６ａと、開口部１１側の第２ガイド部１６ｂとを有する。
図３に示すように、本実施形態では、第１ガイド部１６ａの接線Ｔａの内部底面１０に対する傾斜角度は４５°以上であって、第２ガイド部１６ｂの接線Ｔｂの内部底面１０に対する傾斜角度よりも大きくなっている。
【００２４】
従って、図４に示すように、収納室８内の化粧筆７を前記したように突起１５に向けて横移動させ、把持部１２が突起１５と当接した後も更に化粧筆７の横移動を続けるとき、第１ガイド部１６ａは、把持部１２を横移動成分（例えばＬ）よりも上方への押し上げ成分（Ｌに対応するＨ）が過大になる方向（矢符Ｒ参照）へ案内する。このため化粧筆７は、突起１５上へ乗り上げるようにして高い位置へ移動し、収納室８から浮き出すようになる。
【００２５】
なお、化粧筆７を突起１５に向けて横移動させると、本第１実施形態では化粧筆７の把持部１２を断面楕円形に形成してあるので、把持部１２は、第１ガイド部１６ａに案内されると、断面楕円形の長径ａが矢符Ｒで示した取出方向に向くように、先ず立ち上がり状に姿勢変更する。この状態で把持部１２を指先で掴み、収納室８から摘み出すことも可能である。しかし、更に化粧筆７の横移動を続けると、把持部１２が第１ガイド部１６ａ及び第２ガイド部１６ｂ上を摺接しながら移動し、化粧筆７は収納室８から脱出する。
【００２６】
このような取出時において、化粧筆７は、収納室８内の取出側壁面９ａ等に対して塗布具１３，１４が強く押し付けられるようなことがなく、非接触又は軽度の接触で済むようになっているので、収納室８内が汚れたり、塗布具１３，１４が変形したりすることはない。もとより、摩擦抵抗の増大が原因で化粧筆７の取り出しが困難になることもない。
ところで、ガイド部１６における上凸の湾曲形状は、そのカーブの曲率半径（数値的な範囲）が限定されるものではない。また、一定の曲率半径で設けられているか、複数種の曲率半径を組み合わせたカーブであるか（サイクロイド曲線やインボリュート曲線等）が限定されるものでもない。
【００２７】
要は、化粧筆７を取り出し易いように案内できるようにしたカーブで形成されたものであればよい。従って例えば、化粧筆７における把持部１２の断面形状が円形、正方形、長方形、長丸形など、種々に変更されたり、その断面大きさが変更されたりすれば、当然にガイド部１６の上凸湾曲形状も相応の変更が可能である。
また、化粧筆７の全長おける把持部１２と塗布具１３，１４との長さ割合や、塗布具が一端部のみに設けられたような場合では、突起１５（ガイド部１６）も相応に変更させればよいものである。例えば、本第１実施形態では図２に示すように、突起１５は、平面視したときの長手方向中央部が最も膨出するような湾曲形状としてあるが、一端部のみに塗布具を設ける場合であれば、突起１５の一端部を取出側壁面９ａと交差する壁面９ｂ，９ｃ（図２の左側又は右側の壁面）まで届かせるように形成してもよい。
【００２８】
図５は、本発明に係る化粧品用容器１の第２実施形態を示している。本第２実施形態の化粧品用容器１が前記第１実施形態と最も異なるところは突起１５の形状にある。その他の構成については略同様である為、同様の構成部分は同一符号を付して説明を省略する（以下、同じ）。
本第２実施形態の突起１５には、化粧筆７における把持部１２の長手方向中途部との間に、隙間を形成する為の窪み１７が設けられている。つまり、本第２実施形態の突起１５の外観形状は、概ね瓢箪型を長軸方向に１／４にしたような形状を呈している。そのため、主としてガイド部１６を構成する部分は、突起１５の長手方向に２箇所存在することになる。窪み１７の存在により、収納室８から化粧筆７を取り出している最中に、指先が突起１５に接触しなくなるか又は接触し難くなるので、操作が一層容易となる。
【００２９】
図６は、本発明に係る化粧品用容器１の第３実施形態を示している。本第３実施形態の化粧品用容器１では、収納室８において化粧品収容部６から遠い方の側壁面９ａと内部底面１０とによって形成される隅角部だけでなく、化粧品収容部６に近い方の側壁面９ｄと内部底面１０とによって形成される隅角部にも、突起１５が配置されている。
なお、突起１５については、第１実施形態で説明したものでも第２実施形態で説明したものでもよい（図例は第２実施形態で説明したのと同様に、窪み１７が形成されたものとしてある）。
【００３０】
従って、本第３実施形態では、化粧筆７の取出方向が側壁面９ａ，９ｄの何れの方向でも任意に選択できるようになっており、利き腕の違いや容器本体２を使用する際の向きの違いなど、臨機応変な使い方ができるという利点に繋がる。
図７及び図８は、本発明に係る化粧品用容器１の第４実施形態を示している。本第４実施形態の化粧品用容器１では、収納室８に複数（図例では２本）の化粧筆７を並行且つ隣接して収納可能となっている。そして、この収納室８の内部底面１０に突起１５（以下、１５Ｂとする）が各化粧筆７の隣接間を仕切る底部位置から突設されたものとなっている。
【００３１】
なお、化粧品収容部６から遠い方の側壁面９ａと内部底面１０とによって形成される隅角部に対しても、第１〜第３実施形態の場合と同様に、突起１５（以下、１５Ａとする）が設けられている。いずれの突起１５についても、第２実施形態（図５参照）で説明したのと同様に、窪み１７が設けられたものとしてある。
内部底面１０から突設された突起１５Ｂは、ガイド部１６及び窪み１７を化粧品収容部６に近い方の側壁面９ｄへ向けるようにして形成されている。この突起１５Ｂにおいて、化粧品収容部６から遠い方の側壁面９ａに面する部分は内部底面１０から直立する立面としてあり（ガイド部１６や窪み１７は形成させておらず）、これによって収納室８の内部が徒に広くなりすぎないようにしてある。即ち、化粧品用容器１全体としての大型化を抑制してある。
【００３２】
このような構成を具備する第４実施形態の化粧品用容器１では、収納室８内において、化粧品収容部６に近い方の側壁面９ｄ寄りに収納した化粧筆７（以下、７Ｂとする）は、内部底面１０に突設された突起１５Ｂに押し付けるようにして取り出せばよい。また、化粧品収容部６から遠い方の側壁面９ａ寄りに収納した化粧筆７（以下、７Ａとする）は、この側壁面９ａと内部底面１０との隅角部に設けられた突起１５Ａに押し付けるようにして取り出せばよい。
【００３３】
このように、収納室８に対して複数の化粧筆７Ａ，７Ｂを収納したとき、いずれの化粧筆７Ａ，７Ｂもその順番を気にすることなく、容易且つ確実に取り出すことができるものである。
なお、内部底面１０に突設された突起１５Ｂにおいては、その両側に収納した化粧筆７Ａ，７Ｂの取り出しを容易化させるために、化粧品収容部６から遠い方の側壁面９ａへ向く側と、化粧品収容部６に近い方の側壁面９ｄへ向く側との両方に、ガイド部１６や窪み１７を形成させてもよい。つまり、突起１５Ｂの外観形状を概ねラグビーボールや瓢箪型を長軸方向に１／２にしたような形状を呈するようにすることもできる。
【００３４】
また、収納室８は、３本以上の化粧筆７を収納可能なものとして、各隣接間となるそれぞれの底面位置に突起１５を設けるようにしてもよい。
図９は、本発明に係る化粧品用容器１の第５実施形態を示している。本第５実施形態の化粧品用容器１が前記第１実施形態等と異なるところは、突起１５のガイド部１６が、第１実施形態が上凸の湾曲形状であるのに対し、上凸の直線状の傾斜面の組合せで構成されている点であり、その他の構成については略同様である。
【００３５】
即ち、突起１５のガイド部１６は、化粧筆７の把持部１２を横移動成分よりも上方への押し上げ成分が過大になる方向へガイドすれば足りるので、上凸の湾曲形状であることに限定されるものではなく、本第５実施形態のように、上凸の屈曲形状が付された直線状の傾斜面（山型に折り曲がった傾斜面）として形成することもできる。
なお、以上の実施形態では、突起１５のガイド部１６が、湾曲面か傾斜面で構成されているが、第１ガイド部１６ａ及び第２ガイド部１６ｂの一方が、湾曲面で他方が直線上の傾斜面というような組合せも可能である。
【００３６】
図１０は、本発明に係る化粧品用容器１の第６実施形態を示している。図１０に示すように、収納室８に設ける突起１５において、ガイド部１６は、上凸の山型に折り曲がっておらず、内部底面１０から４５°以上で傾斜した単一の傾斜面を有したものとして形成してもよい。この場合、４５°よりも小さな角度の傾斜面を有する補助ガイド１８を並設させるようにすると、化粧筆７の把持部１２を上方へ向けて円滑に押し上げることができるようになり、好適である。
【００３７】
次に、図１１乃至図１３は、本発明に係る化粧品用容器１の第７実施形態を示していおり、第１実施形態等と同様の構成部分は同一符号を付して説明を省略している。本第７実施形態の化粧品用容器１では、突起を収納室８ではなく、化粧筆７側に突設したものであり、この突起３０は、化粧筆７の把持部１２の胴部外周が、塗布具１３，１４と同じくらいか又はそれ以上に太くなるように膨出して、化粧筆７を把持部１２の領域と塗布具１３，１４の領域とに仕切るフランジ状に形成されている。また、この突起３０は、把持部１２の軸心方向側から見た形状が楕円形となっていて、この楕円形の外周部分でガイド部３１が構成されている。
【００３８】
かかる構成において化粧筆７を収納部８から取り出すには、図１３に示すように、突起３０の楕円形の長径ａが矢符Ｒで示した取出方向に向くように、立ち上がり状に姿勢変更させる。この際、ガイド部３１は、突起３０の楕円形の外周部分で構成されているので、収納部８の内部底面１０上を転動して化粧筆７が姿勢変更される。この状態で把持部１２を指先で掴み、収納室８から摘み出すことも可能である。しかし、更に化粧筆７を取り出しを予定した方向の側壁面９ａに向けて移動させ、この側壁面９ａに対して突起３０を当接させ、更に同方向に移動させると、化粧筆７は、突起３０の楕円形の外周部分で構成されたガイド部３１が側壁面９ａに対して摺接し、このガイド部３１に案内されて収納室８から脱出する。
【００３９】
図１４は、本発明に係る化粧品用容器１の第８実施形態を示しており、第１実施形態等と同様の構成部分は同一符号を付して説明を省略している。本第８実施形態が、第７実施形態と異なる点は、取り出しを予定した方向の側壁面９ａの内部底面１０からの高さが、突起３０の楕円形の短径ｂの１／２以下の高さにしてあるところである。
本第８実施形態では、上記第７実施形態したように化粧筆７を立ち上がり状に姿勢変更させるまでもなく、化粧筆７を取り出しを予定した方向の側壁面９ａに向けて移動させるだけで、化粧筆７は、突起３０の楕円形の外周部分で構成されたガイド部３１が側壁面９ａに対して摺接し、側壁面９ａの頂部９ａ’を乗り越えるようにガイド部１６に案内されて収納室８から脱出する。
【００４０】
上記第７及び第８実施形態の取出時において、化粧筆７は、収納室８内の取出側壁面９ａ等に対して塗布具１３，１４が強く押し付けられるようなことがなく、非接触又は軽度の接触で済むようになっているので、収納室８内が汚れたり、塗布具１３，１４が変形したりすることはない。もとより、摩擦抵抗の増大が原因で化粧筆７の取り出しが困難になることもない。また、突起３０により把持部１２と塗布具１３，１４が仕切られているので、塗布具１３，１４に付着した化粧品で手指を汚すこともない。
【００４１】
なお、突起３０となる把持部１２の胴部外周の形状は、楕円形ではなく、例えば菱形に形成し、ガイド部３１を直線状の傾斜面としてもよい。
以上の各実施形態では、突起１５として収納室８側にのみ設けた場合と、突起３０として把持部１２側にのみ設けた場合を説明しているが、収納室８側と把持部１２側の両方に、それぞれ突起１５と突起３０を設けることも当然可能である。このように両者を併設した場合には、より一層、化粧筆７を取り出し易くなるという効果が期待できる。
（その他）
本発明は、上記各実施形態に限定されるものではなく適宜変更可能である。容器本体２の外形状、化粧品収容部６や収納室８の形状、ヒンジ部４や蓋体３の有無など、何ら限定されるものではない。また、化粧筆７において、塗布具１３，１４は、スポンジ材料からなるハケとする他、毛筆としてもよく、把持部１２の一端側にのみ設けてもよく、把持部１２は、断面形状を円形、正方形、長方形、長丸形など、種々に変更することが可能である。
【符号の説明】
【００４２】
１      化粧品用容器
７      化粧筆
８      収納室
９      周壁
９ａ    側壁面（取出側壁面）
１１    開口部
１２    把持部
１３    塗布具
１４    塗布具
１５    突起
１６    ガイド部
３０    突起
３１    ガイド部
【図１】
2011024772.tif 000003
【図２】
2011024772.tif 000004
【図３】
2011024772.tif 000005
【図４】
2011024772.tif 000006
【図５】
2011024772.tif 000007
【図６】
2011024772.tif 000008
【図７】
2011024772.tif 000009
【図８】
2011024772.tif 000010
【図９】
2011024772.tif 000011
【図１０】
2011024772.tif 000012
【図１１】
2011024772.tif 000013
【図１２】
2011024772.tif 000014
【図１３】
2011024772.tif 000015
【図１４】
2011024772.tif 000016
【図１５】
2011024772.tif 000017
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
棒状の把持部の先端に塗布具を有する化粧筆と、この化粧筆を収納する収納室とを具備した化粧品用容器において、
前記収納室は、前記化粧筆を囲繞する周壁と上方向に開放された開口部とを備えており、
この収納室の内部に前記化粧筆を収納した状態において、前記周壁のうち前記把持部の軸心方向に直交する方向に対面する側壁面と前記把持部との間には、前記側壁面と前記塗布具との当接を阻害する突起が、前記収納室の内部又は前記把持部の胴部外周の少なくとも何れか一方に突設されており、
この突起には、前記化粧筆を前記側壁面に向けて移動させたときに、前記化粧筆を前記収納室の開口部から脱出させる上方向に摺接案内する、湾曲面又は傾斜面を有するガイド部が形成されていることを特徴とする化粧品用容器。
【請求項２】
棒状の把持部の先端に塗布具を有する化粧筆と、この化粧筆を収納する収納室とを具備した化粧品用容器において、
前記収納室は、前記化粧筆を囲繞する周壁と上方に向けて開放された開口部とを備えており、
この収納室の内部に前記化粧筆を収納した状態において、前記周壁のうち前記把持部の軸心方向に直交する方向に対面する側壁面と前記塗布具との当接を阻害する突起が前記収納室の内部に突設されており、
この突起には、この突起に向けて前記化粧筆を移動させたときに、この化粧筆を前記収納室の開口部から脱出させる上方向に摺接案内する、湾曲面又は傾斜面を有するガイド部が形成されていることを特徴とする化粧品用容器。
【請求項３】
棒状の把持部の先端に塗布具を有する化粧筆と、この化粧筆を収納する収納室とを具備した化粧品用容器において、
前記収納室は、前記化粧筆を囲繞する周壁と上方に向けて開放された開口部とを備えており、
この収納室の内部に前記化粧筆を収納した状態において、前記周壁のうち前記把持部の軸心方向に直交する方向に対面する側壁面と前記塗布具との当接を阻害する突起が前記収納室の内部に突設されており、
この突起には、この突起に向けて前記化粧筆を移動させたときに、この化粧筆を前記収納室の開口部から脱出させる上方向に摺接案内する、上凸の湾曲形状又は上凸の屈曲形状を有するガイド部が形成されていることを特徴とする化粧品用容器。
【請求項４】
前記収納室の内部に突設された突起には、この突起と前記把持部との間に隙間を形成する窪みが形成されていることを特徴とする請求項２又は請求項３に記載の化粧品用容器。
【請求項５】
前記収納室の内部には、複数の化粧筆を並行に収納しており、前記収納室の内部に突設された突起は、各化粧筆の間に配置されていることを特徴とする請求項２乃至請求項４のいずれか１項に記載の化粧品用容器。
【請求項６】
棒状の把持部の先端に塗布具を有する化粧筆と、この化粧筆を収納する収納室とを具備した化粧品用容器において、
前記収納室は、前記化粧筆を囲繞する周壁と上方に向けて開放された開口部とを備えており、
この収納室の内部に前記化粧筆を収納した状態において、前記周壁のうち前記把持部の軸心方向に直交する方向に対面する側壁面と前記塗布具との当接を阻害する突起が前記把持部の胴部外周に突設されており、
この突起には、前記側壁面に向けて前記化粧筆を移動させたときに、この化粧筆を前記収納室の開口部から脱出させる上方向に摺接案内する、湾曲面又は傾斜面を有するガイド部が形成されていることを特徴とする化粧品用容器。
【請求項７】
前記把持部の胴部外周に突設された突起は、前記化粧筆を把持部の領域と塗布具の領域とに仕切るフランジ状に形成されており、把持部の軸心方向から見た形状が楕円形又は菱形とされていて、この楕円形又は菱形の外周部分で前記ガイド部が構成されていることを
特徴とする請求項６に記載の化粧品用容器。
【手続補正２】
【補正対象書類名】明細書
【補正対象項目名】０００７
【補正方法】変更
【補正の内容】
【０００７】
本発明は、前記目的を達成するために、次の技術的手段を講じた。
即ち、棒状の把持部の先端に塗布具を有する化粧筆と、この化粧筆を収納する収納室とを具備した化粧品用容器において、
前記収納室は、前記化粧筆を囲繞する周壁と上方向に開放された開口部とを備えており、
この収納室の内部に前記化粧筆を収納した状態において、前記周壁のうち前記把持部の軸心方向に直交する方向に対面する側壁面と前記把持部との間には、前記側壁面と前記塗布具との当接を阻害する突起が、前記収納室の内部又は前記把持部の胴部外周の少なくとも何れか一方に突設されており、
この突起には、前記化粧筆を前記側壁面に向けて移動させたときに、前記化粧筆を前記収納室の開口部から脱出させる上方向に摺接案内する、湾曲面又は傾斜面を有するガイド部が形成されているものとした。